Podtech/llm-jp-corpus-v4-ja_patent huggingface dataset:
(57)【要約】【課題】  床パンを貫通させて行なう配管接続において、排水開口部を併用することで止水用の塞ぎ蓋を不要とする排水トラップを提供する。【解決手段】  床パンに設けられるトラップにおいて、トラップの締め付けフランジ部より内方に床パン裏部空間と床パン表部空間とを挿通可能に鞘管を設ける。前記鞘管に配管を通して配管接続を行い、締め付けフランジ側配管取り出し口高さを床面より高くすることで漏水を防止する。止水に関しては従来通りのトラップの取り付けのみで行なうために、床パンに止水の為の塞ぎ蓋を不要とする。【選択図】  図１
2007332697.tif 000002
【特許請求の範囲】
【請求項１】
床パンに取り付けられる排水トラップであって、前記排水トラップは床パン裏部のトラップ本体と床パン表部の締め付けフランジにて床パン排水開口部に取り付けられ、前記締め付けフランジ部より内方に床パン裏部空間と床パン表部空間とを挿通可能に鞘管を設けたことを特徴とする鞘管付き排水トラップ。
【請求項２】
前記鞘管付き排水トラップは、前記鞘管と干渉しない排水管接続部側に封水部を形成したことを特徴とする請求項１記載の鞘管付き排水トラップ。
【発明の詳細な説明】
【技術分野】
【０００１】
本発明は、床パンに取り付けられる排水トラップに関するものである。 
【背景技術】
【０００２】
床パンを使用する一般的なユニットル−ムにあって、配管を接続するためにあける開口部は給水給湯管と排水管で別々に設けられ、前記給水給湯管が床パンを貫通させて接続する場合であっても別々に開口部を設けていて、その場合の前記開口部は特許文献１のように床パンの上部に設置する塞ぎ蓋にて止水する構造で浴槽またはカウンター等で隠蔽できる部分に設けられる。一方、別に設ける排水の開口部においては、床パン裏部のトラップ本体と床パン表部の締め付けフランジを嵌合することで良好な止水構造を成している。
【０００３】
【特許文献１】特開平９-６００６８
【発明の開示】
【発明が解決しようとする課題】
【０００４】
本発明において解決すべき課題は、床パンに取り付ける配管貫通部の塞ぎ蓋はその構造、形状より取り付け態様を隠蔽できる部分、例えば浴槽下、カウンター下等に取り付け位置が限定されてしまう点であり、塞ぎ蓋を隠蔽することができないユニットバスルームの洗い場中央、或いはシャワールーム等においても良好な止水構造にて床より配管接続を可能する鞘管付き排水トラップを提案する。
【課題を解決するための手段】
【０００５】
前記課題を解決するために本発明の請求項１の鞘管付き排水トラップによれば通常床パンに設けられるトラップの開口部を管路として併用するために、締め付けフランジ部より内方に床パン裏部空間と床パン表部空間とを挿通可能に鞘管を設けたトラップを利用することで、床パンに止水の為の塞ぎ蓋を設ける必要が無く、止水に関しては従来通りのトラップの取り付けのみで行なうことができる。また鞘管のユニット内側配管取り出し口高さを床より高くすることで、この部分からの漏水を確実に防ぐことが可能となる。
【０００６】
請求項２記載の鞘管付き排水トラップによれば、鞘管と干渉しない排水管接続部側に封水部を形成することで、封水筒の取り外しが簡単になりトラップの保守を容易に行なうことができる。
【発明の効果】
【０００７】
本発明は上記構成により次の効果を発揮する。シャワールーム等の床パン上に止水用塞ぎ蓋を隠蔽するものがないユニットルームにおいて、床パンを貫通して給水給湯管等の配管接続を可能にし、配管貫通部をトラップと併用して行なうことで良好な止水構造とすることができる。
【０００８】
また、ユニットルームに限らず、洗濯機パンに鞘管付きトラップを取り付けることで、従来は壁に設けていた浴槽の湯を洗濯機に送水する配管を床から接続することを可能にする。
【実施例】
【０００９】
本発明の実施の形態を図１~４に基づいて以下に説明する。
【００１０】
図１は本発明の一実施例である鞘管付き排水トラップの形態を示す断面図である。図２は本発明の他の実施例である鞘管付き排水トラップの形態を示す断面図である。図３は鞘管付き排水トラップの平面図である。図４は鞘管付き排水トラップを用いたシャワールームの斜視図である。
【００１１】
図１に図示する鞘管付き排水トラップ１１は、通常のトラップと取り付け構造、止水性において同様で、床パン８裏部のトラップ本体１と床パン８表部の締め付けフランジ２にて床パン８の排水開口部に取り付けられ、床パン８表部より封水筒３を取り付けてトラップ本体部に封水部６を有し、前記締め付けフランジ部より内方に床パン裏部空間と床パン表部空間とを挿通可能に鞘管を設けたことで、止水用の塞ぎ蓋を用いることなく配管を床パン裏面より表面へ通すことが可能になる。
【００１２】
また、図２、３に図示する鞘管付き排水トラップ１１は、鞘管と干渉しない排水管接続部９側に封水部を形成したことで、鞘管４が封水部６に干渉することを避け、封水筒３の着脱を簡単にし、排水トラップの保守を容易にすることができる。
【００１３】
また、鞘管付きトラップ１１の鞘管４はユニットルームの給水給湯管の用途に限らず、追い焚き管や洗濯機パンに使用して浴槽から洗濯機へ湯を送水する管に利用しても良い。
【００１４】
このようにした鞘管付き排水トラップ１１を床パン８に取り付け後、鞘管４を利用して配管を床パン８上部に通して水栓等に接続する場合は、鞘管を床より十分に立ち上げて、水栓の一部で鞘管を覆設する構造とすることで止水できるが、前記構造とすることが出来ない場合は、配管外周に密着するパッキン等を取り付けた蓋形状のものを鞘管４上端部に冠着して取り付けることで配管取り出し口の止水を行なう。
【００１５】
本発明の鞘管付き排水トラップは以上述べた実施形態に限定されず、鞘管付き排水トラップの形状、鞘管の抜き方向、排水管の抜き方向等、種々変更組み合わせで構成されるものである。
【図面の簡単な説明】
【００１６】
【図１】本発明の一実施例である鞘管付き排水トラップの形態を示す断面図
【図２】本発明の他の実施例である鞘管付き排水トラップの形態を示す断面図
【図３】鞘管付き排水トラップの平面図
【図４】鞘管付き排水トラップを用いたシャワールームの斜視図である。
【符号の説明】
【００１７】
１…トラップ本体
２…締め付けフランジ
３…封水筒
４…鞘管
５…管路
６…封水部
７…目皿
８…床パン
９…排水管接続部
１１…鞘管付き排水トラップ
１０１…トラップカバー
１０２…壁
１０３…天井
１０４…水栓
１０５…鏡
【図１】
2007332697.tif 000003
【図２】
2007332697.tif 000004
【図３】
2007332697.tif 000005
【図４】
2007332697.tif 000006
(57)【要約】【課題】２−ブロモ−４，４’−ジアルキルビフェニルの製造方法を提供する。【解決手段】触媒量のヨウ素の存在下、適切ならばハロゲン化炭化水素を溶媒として、４，４’−ジアルキルビフェニルを臭素と反応させることを特徴とする、２−ブロモ−４，４’−ジアルキルビフェニルの製造方法。【選択図】なし【特許請求の範囲】
【請求項１】
触媒量のヨウ素の存在下、適切ならばハロゲン化炭化水素を溶媒として、４，４’−ジアルキルビフェニルを臭素と反応させることを特徴とする、２−ブロモ−４，４’−ジアルキルビフェニルの製造方法。
【請求項２】
前記２−ブロモ−４，４’−ジアルキルビフェニルが、２−ブロモ−４，４’−ジ−ｔｅｒｔ−ブチルビフェニルであることを特徴とする、請求項１記載の方法。
【請求項３】
前記ヨウ素が、前記４，４’−ジアルキルビフェニルを基準として、０．１〜１０モル％の量で使用されることを特徴とする、請求項１又は２記載の方法。
【請求項４】
前記ハロゲン化炭化水素が、メチレンクロライドであることを特徴とする、請求項１乃至３のいずれか一項記載の方法。
【請求項５】
前記反応が、０〜４０℃の範囲の温度で行われることを特徴とする、請求項１乃至４のいずれか一項記載の方法。
【請求項６】
前記反応時間が、１〜１０時間であることを特徴とする、請求項１乃至５のいずれか一項記載の方法。
【発明の詳細な説明】
【技術分野】
【０００１】
本発明は、２−ブロモ−４，４’−ジアルキルビフェニル、特に２−ブロモ−４，４’−ジ−ｔｅｒｔ−ブチルビフェニルの製造方法に関する。これらの臭素化合物は、Ｃ−Ｃカップリングのリガンドの合成において重要な役割を果たす。これらは、例えば、ブッフバルト（Ｂｕｃｈｗａｌｄ）反応のリガンドの骨格を構築するために使用され得る。
【背景技術】
【０００２】
J. Org. Chem., 1979, 44 (17), 3037−3041には、触媒としての鉄の存在下、収率７３％の、臭素による４，４’−ジ−ｔｅｒｔ−ブチルビフェニルの臭素化が記載されている。そこでは、ビフェニルはまず、４，４’−ジ−ｔｅｒｔ−ブチルビフェニルに変換される。その後、この化合物は、ｔｅｒｔ−ブチル基が配向性保護基（directing protective group）として作用して、臭素化される。その後、この保護基が除去され、生成物が遊離する。触媒に鉄を使用するこの合成法では、所望の臭素化選択率が得られず、したがって所望の収率も得られない。所望のモノブロム化生成物に加えて、異性のモノブロム化生成物及びジブロム化生成物、そしてまた、一方又は両方のｔｅｒｔ−ブチル基が除去された生成物が生成される。したがって、反応混合物から所望の生成物の２−ブロモ−４，４’−ジ−ｔｅｒｔ−ブチルビフェニルを単離することは困難である。また、臭素化に使用される溶媒は四塩化炭素であり、これは反応を工業規模で行う際に問題を引き起こす。
【非特許文献１】ジャーナル・オブ・オーガニック・ケミストリー（Ｊ．Ｏｒｇ．Ｃｈｅｍ．）、１９７９年、第４４巻、第１７号、ｐ３０３７−３０４１
【発明の開示】
【発明が解決しようとする課題】
【０００３】
したがって、２−ブロモ−４，４’−ジアルキルビフェニルを、対応する４，４’−ジアルキルビフェニル化合物を実質的に完全な選択率と非常に良好な収率で臭素化することによって製造する方法を提供することが、本発明の目的であった。驚くべきことに、この反応は、触媒量のヨウ素（Ｉ２）の存在下で臭素化を行うと、実質的に完全な選択率と非常に良好な収率で行われることがわかった。
【課題を解決するための手段】
【０００４】
したがって、本発明は、触媒量のヨウ素の存在下、適切ならばハロゲン化炭化水素を溶媒として、４，４’−ジアルキルビフェニルを臭素と反応させることを含む、２−ブロモ−４，４’−ジアルキルビフェニルの製造方法を提供する。
【発明を実施するための最良の形態】
【０００５】
適した４，４’−ジアルキルビフェニル化合物は、対応するメチル、エチル、プロピル及びブチル化合物である。ここでは、４，４’−ジ−ｔｅｒｔ−ブチルビフェニルが好ましく、臭素化により所望の生成物の２−ブロモ−４，４’−ジ−ｔｅｒｔ−ブチルビフェニルが提供される。ここでは、ヨウ素は、元素ヨウ素（elemental iodine）として触媒量、例えば、臭素化される芳香族化合物を基準として、０．１〜１０モル％の量で存在する。ヨウ素の使用量は、臭素化される芳香族化合物を基準として、１〜５モル％が好ましい。
【０００６】
反応は溶媒を使用せずに行うことができるが、ハロゲン化炭化水素などの非水溶媒中で行うことが好ましい。メチレンクロライド、１，２−ジクロロエタン、クロロホルム、クロロベンゼン及びジクロロベンゼンからなる群からの液体炭化水素化合物は全て、ハロゲン化炭化水素としての使用に適している。使用溶媒としては、メチレンクロライドが好ましい。
【０００７】
反応は、通常、−５〜４０℃の範囲の温度で行う。好ましい反応温度は５℃である。
【０００８】
本発明の反応の反応時間は、１〜１０時間の範囲である。反応時間は１〜２時間が好ましい。驚くべきことに、本発明の方法を使用すると、高選択率及び高収率で上記のブロモビフェニル化合物を得ることができる。選択率は、通常、９８％超であり、収率は９５％超である。
【０００９】
下記の実施例は本発明をより詳細に説明することを意図したものであって、発明の範囲を限定するものではない。
【００１０】
[実施例]
[実施例１]
４，４’−ジ−ｔｅｒｔ−ブチルビフェニル１ｇをジクロロメタン１０ｇに溶解し、ヨウ素３０ｍｇを添加した。その後、この混合物を５℃に冷却した。１時間かけて臭素６５０ｍｇを加えた。その後、この混合物を室温で１時間攪拌した。精製（work-up）のために、１０％濃度（strength）のＮａＨＳＯ３溶液を３ｍｌ加え、相を分離し、有機相を中性（neutral）になるまで洗浄し、ロータリーエバポレーターを使用して乾燥と濃縮を行った。これにより、１．２８ｇの２−ブロモ−４，４’−ジ−ｔｅｒｔ−ブチルビフェニルが得られた（理論値の９８．６％）。
(57)【要約】【課題】従前から存在するパーライト粉体を使用する安価な工業用石鹸（ピンク石鹸）と同時に使用することで、工業用石鹸の洗浄効果を効果的に向上させることができる工業石鹸用液体洗浄剤を得る。【解決手段】粉状の工業用石鹸と同時に使用される液体洗浄剤であって、有機溶剤を主成分とし、活性剤及び増量剤を含有して成ることで、工業用石鹸を使用するに際して、この液体洗浄剤を一緒に使用することで、液体洗浄剤に含有された有機溶剤の溶解作用により、塗料等の汚れを溶かすことができ、安価な工業用石鹸の洗浄効果を効果的に向上させる。【選択図】    なし【特許請求の範囲】
【請求項１】
粉状の工業用石鹸と同時に使用される液体洗浄剤であって、
有機溶剤を主成分とし、界面活性剤及び増量剤を含有して成ることを特徴とする工業石鹸用液体洗浄剤。
【発明の詳細な説明】
【技術分野】
【０００１】
本発明は、各種工業で業務用の手洗い石鹸として使用されている粉状の工業石鹸（ピンク色の粉石鹸）の使用時に際して、石鹸と同時に使用する工業石鹸用液体洗浄剤に関する。
【背景技術】
【０００２】
各種工業においては、従前より作業後に手を洗うために、多孔質粉末（パーライト粉末）を利用した粉状の工業用石鹸が広く使用されてきた。この工業用石鹸は、ピンク色に着色された石鹸粉から構成されることから、ピンク石鹸とも称呼されている。
この工業用石鹸は、粉末を手に適量をのせてよくこすり合わせ、水で濯ぐことで、手に付着した油成分を除去するものである。
【発明の開示】
【発明が解決しようとする課題】
【０００３】
上述の工業用石鹸を使用して手を洗った場合、油成分は除去されるものの、手に付着した塗料、接着剤、インク等の汚れに対して、十分な洗浄効果がなかった。これは、工業用石鹸に、これらの汚れを溶かすような溶剤が含まれていないという理由による。
その一方、多孔質粉末に溶剤を吸着させて粉体状の石鹸としたり、又は、溶剤を含有した液体状の石鹸とすることにより、塗料等の汚れを溶かす作用を持つ石鹸も開発されてはいるが、石鹸自体が従前のパーライト粉体を使用するピンク石鹸に比較して高価となり、広く普及していなかった。
【０００４】
本発明は上記実情に鑑みてなされたもので、従前から存在するパーライト粉体を使用する安価な粉状の工業用石鹸（ピンク石鹸）と同時に使用することで、工業用石鹸の洗浄効果を効果的に向上させることができる工業石鹸用液体洗浄剤を提供することを目的としている。
【課題を解決するための手段】
【０００５】
上記目的を達成するため本発明は、粉状の工業用石鹸と同時に使用される液体洗浄剤であって、有機溶剤を主成分とし、界面活性剤及び増量剤を含有して成ることを特徴としている。
【発明の効果】
【０００６】
本発明によれば、粉状の工業用石鹸を使用するに際して、液体洗浄剤を一緒に使用することで、液体洗浄剤に含有された有機溶剤の溶解作用により、塗料等の汚れを溶かすことができ、安価な工業用石鹸の洗浄効果を効果的に向上させることができる。
【発明を実施するための最良の形態】
【０００７】
本発明の工業石鹸用液体洗浄剤の実施形態の一例について説明する。
工業石鹸用液体洗浄剤は、従前より使用されるパーライト粉体を使用した工業用石鹸（ピンク石鹸）を手に塗りこむに際して、同時に使用する液体洗浄剤である。この液体洗浄剤は、有機溶剤を主成分とし、界面活性剤及び増量剤を含有しで構成されている。
【０００８】
有機溶剤は、手に付着した塗料・インクなどを溶かして油性化して剥離するためのものであり、手（皮膚）に付着しても問題の少ないアルコール系のもの等を使用する。また、水に溶解する成分を含有している。
有機溶剤により油性化される塗料としては、物体の表面を保護する目的で使用される油性塗料、水性塗料、合成樹脂塗料があげられる。
【０００９】
界面活性剤は、塗料等に含まれた油成分を分解するとともに、洗浄時の水切れを良好にし、また、臭いの付着を防止するためのものであり、ア二オン系のもの等を使用する。
【００１０】
増量剤は、増量効果を発揮させるためのものであり、例えば水が使用される。
【実施例】
【００１１】
工業石鹸用液体洗浄剤の具体例な配合について説明する。
工業石鹸用液体洗浄剤は、下表の材料及び配合で作成したものを使用した。
有機溶剤は、異なる種類の溶剤の混合物であってもよい。また、界面活性剤は、性質の異なる複数の界面活性剤を混合したものでもよい。
【００１２】
（表１）
アルコール系有機溶剤        ７０重量％
アニオン系界面活性剤          ８重量％
水                          ２２重量％
【００１３】
次に、工業石鹸用液体洗浄剤の使用手順について説明する。
先ず、従前から存在するパーライト粉体を使用した工業石鹸（ピンク石鹸）を手に適量をのせた状態で、その上から工業石鹸用液体洗浄剤を適量かけ、よくこすり合わせる。こうすることで、手に付着した塗料や接着剤等の汚れが液体洗浄剤に含まれた有機溶剤の働きで溶けて油性化し、界面活性剤により油成分を分解させる。
その後、水で濯ぐことで、手に付着した汚れや油成分を除去することができる。この際、界面活性剤の効果により、水切れを良くするとともに、臭いの付着も防止することができる。
【００１４】
上記の要領で、工業石鹸用液体洗浄剤を工業石鹸使用時に同時に使用することで、パーライト粉体を使用した安価な工業石鹸（ピンク石鹸）を用いた場合でも、塗料や接着剤等、工業石鹸を単独で使用した場合には除去できない汚れについても除去することが可能となる。
(57)【要約】      （修正有）【課題】衣服の内部に装着する乳首やバストを外部から見えなくするための付けパッドの提供。【解決手段】Ｔシャツやブルゾン、キャミソール等の衣服の内面に、カップあるいはクッション素材によるバスト押さえを装着するもので、特に若い女性を対象とする。【選択図】なし【特許請求の範囲】
【請求項１】
従来のキャミソールやＴシャツやブルゾンなど若い女性のものには、おばさんのならあるが、ブラカップが内部についてなかったりクッション木綿のようなものがついてなくて娘さんはブラの紐を出したりせざる得なかった。
2007332521.tif 000003
に内部にカップなりクッション素材をつけてバストを抑えるのである。高齢者用はなく娘さん用。発明はその組み合わせ。
【発明の詳細な説明】
【技術分野】
【０００１】この発明は、おもに服に関するものである。
【発明の開示】
【発明が解決しようとしている課題】
【０００２】
2007332521.tif 000002
【発明が解決しようとする課題】
【０００３】上記同じ。
【発明の効果】
【０００４】上記同じ。
(57)【要約】      （修正有）【課題】ジャカード織物製造の紋織において、緻密で繊細優美な文様表現ができる方法を提供する。【解決手段】面描織物組織でなく、点描織物組織を用いることにより、任意の色緯糸の経糸との交錯における単位長（面積）あたりの表面露出密度の比率を自由に変更でき、織物文様の濃淡・明暗に関するより緻密なグラデーション表現を可能とする。また、経糸と同数の針数を持つジャカード開口装置を用いるため、複数の異なる織組織体系を同時に混在させて製織することができる。【選択図】図１１
2007332522.tif 000002
【特許請求の範囲】
【請求項１】
ジャカード織物の織組織変化を点描単位に行い、明暗又は濃淡或いは両者併用の文様をグラデーション表現で行う製造法。
【請求項２】
ジャカード織物の織組織変化を点描単位で行う、異なる織組織系列を混在させて、文様の表現に凹凸感又は遠近感或いは差別化感を持たせた製造法。
請求項１発明と請求項２発明を、単独又は併用による織物表現の技術技法を特許請求の範囲とする。
【発明の詳細な説明】
【技術分野】
【０００１】  この発明はジャカード織物製造の紋組織を点構造表現で製織する技術技法である。
【背景技術】
【０００２】  従来のジャカード織物製造の紋織は「面描表現」で製織する技術技法であり。また製織には２本以上の把吊りの機仕掛のために棒刀装置、伏機装置等を使用する必要がある。
本発明は１本把吊りによる「点描表現」である。
【発明が解決しようとする課題】
【０００３】  従来の面描表現を点描表現にするための技術技法の開発である。今までの総ての織物は、織物の「三原組織論」に基づいておりは面描構造の織物論である。本発明は新井實が開発、提案した「点構造織物組織論」（注１）による点描表現の紋織物製造である。
※（注１）  新井實が開発、提案した「点構造織物組織論」とは、任意の緯糸に対し経糸がその上側で交錯する点を「１亅とし、下側で交錯する点を「０」とすれば、総ての織物の組織は「１」と「０」の点で表現できる。従って織物の構造は点構造で構成される。
このデジタル的な思想は、コンピュータの基本概念と共通し、ジャカード織物の革命的な発展となった、
【問題を解決するための手段】
【０００４】  本発明はジャカード織物製造の紋織を点描表現で表現する技術技法であり。点描表現は経糸と同本数の紋針数を持つジャカード開口装置と機仕掛けを開発したものであり、棒刀装置、伏機装置等を必要としない。
また革新的な点構造織組織を開発し、大胆な大型文様までも微細な色調の変化および質感変化等を製織する技術技法である。
請求項１の発明は経糸と緯糸の交錯点が表面の単位面積あたりの緯糸の露出量の多少による濃淡又は明暗のグラデーション紋織法である。
請求項２の発明は織物は従来の織物の基本組織は平織系又は斜文織系或いは朱子織系のいずれかの１つの独立織物体系で織られている。本発明派その織物において平織体系又は斜文織体系或いは朱子織体系を混在させて織ることであり、革新的な基本組織混在織物製造法である。
【発明の効果】
【０００５】  点描紋織物表現により、緻密で繊細優美な文様表現ができる。また１本の色緯糸が複数の経糸と交錯する露出比率により濃淡・明暗のグラデーションが可能になった。
また、織組織体系を混在させることで立体感、遠近感の表現が可能となり、硬軟の質感にも微妙な変化を制御できる技術技法となった。
【発明を実施するための最良の形態】
【０００６】  請求項１の発明では点描紋織物の色緯糸ごとに濃淡・明暗グラデーション組織図とそのパレット織物を作る。任意のデザインに適した組織をパレット織物から選び目的の文様織物を製織する。
請求項２の発明では織物の基本組織の平織体系又は斜文織体系或いは朱子織体系を２系列又は３系列を複合させて、立体感、遠近感、質感等の表現を持たせる。
請求項１発明、請求項２発明の単独又は併用は革新的で未曾有な紋織物となる。
【実施形態の効果】
【０００７】  この新「絵画織」の世界は、和装織物では帯地、きもの地等に新鮮な「用」と「美」の世界を創出する。
ファッション素材、インテリヤ素材として文様効果を発揮する。
美術工芸分野では掛け軸、額絵、屏風、衝立、タペストリー等に名画の絵画模写織が可能である。
【産業上の利用可能性】
【０００８】  世界で始めての技術技法であり多くの商品化が期待されている。
【他の実施形態】
【０００９】  面描構造では細密な組織変化が不可能なために、美術工芸分野では肌理の粗い作品になっている。現在でもこの古典的な技法により、和装分野では伝統的な作品続けられているいる。
【図面の簡単な説明】
【００１０】
【図１】この発明の織組織図「地組織図」：平織体系、斜文織体系、朱子織体系
【図２】この発明の織組織図「地組織図〔続き）」
【図３】この発明の織組織図「平織組織体系図」：平織体系２重織
【図４】この発明の織組織図「平織組織体系図〔続き）」
【図５】この発明の織組織図「斜文織組織体系図」：斜文織体系２重織
【図６】この発明の織組織図「斜文織組織体系図〔続き）」
【図７】この発明の織組織図「朱子織組織体系図」：朱子織体系２重織
【図８】この発明の織組織図「風通織組織体系図」：風通織体系２重織
【図９】この発明の織組織図「風通織組織体系図〔続き）」
【図１０】この発明の織組織図「風通織組織体系図〔続き）〔続き）」
【図１１】異なる組織体型が混在する織物図
【符号の説明】
【００１１】Ａ  平織体系の織物構造部分
Ｂ  斜文織体系の織物構造部分
Ｃ  朱子織体系の織物構造部分
Ｄ  風通織織体系の織物構造部分
Ｅ  異体系混在の織物構造部分
【図１】
2007332522.tif 000003
【図２】
2007332522.tif 000004
【図３】
2007332522.tif 000005
【図４】
2007332522.tif 000006
【図５】
2007332522.tif 000007
【図６】
2007332522.tif 000008
【図７】
2007332522.tif 000009
【図８】
2007332522.tif 000010
【図９】
2007332522.tif 000011
【図１０】
2007332522.tif 000012
【図１１】
2007332522.tif 000013
(57)【要約】【課題】  施工単価の軽減と小径転石の抜け出し防止。【解決手段】  補助ワイヤーロープの廃止、主ワイヤーロープの増加、転石の抜け出し予防と落石荷重のワイヤーロープへの伝達に網目の粗い金網の設置。【選択図】  図１
2007332535.tif 000002
【特許請求の範囲】
【請求項１】
落石防護工のワイヤーロープ掛工においてアンカーボルト間に設置される主ワイヤーロープの他に落石の荷重の伝達と落石の抜け落ち防止の目的に設置される補助ワイヤーロープをアンカーボルトを対角線上に結ぶ位置に設置し、従来、落石抑止力の設計計算対象外とされた補助ワイヤーロープを落石抑止力の対象とし、落石の抜け落ち防止と落石荷重をワイヤーロープに伝達する目的で網目の粗い金網を設置した構造のワイヤーロープネット工法。
【発明の詳細な説明】
【技術分野】
【０００１】
土木工事の落石対策工の落石防護工に使用する。
【背景技術】
【０００２】
法面上からの落石を防止する落石防護工に使用される。ワイヤーロープを使用する落石防護工のワイヤーロープ掛工は転石の散在する法面にアンカーボルトを設置し、アンカーボルトとアンカーボルト間にワイヤーロープを張り巡らし、ワイヤーロープの張力で転石を法面に押し付けて転落を防ぐ落石防護工である。
【発明の開示】
【発明が解決しようとする課題】
【０００３】
ワイヤーロープはアンカーボルト間に緊張して架設することにより転石を法面に押し付け落石を防止するが、アンカーボルト間隔が２〜３ｍで施工される（経済性を考慮して）為に法面上の全ての転石をカバーすることが出来ない。そこでアンカーボルトとアンカーボルトの間に架設された主ロープの間に補助ワイヤーロープを架設し、小径の転石の抜け落ち又は転石荷重の主ロープへの伝達の目的で使用している。しかし、補助ワイヤーロープの架設間隔を密にすると経済施工に問題があり、粗にすると落石防止の目的に反する問題があった。
【課題を解決するための手段】
【０００４】
本案は従来のアンカーボルトとアンカーボルト間に縦横に架設するワイヤーロープに加え対角線状にワイヤーロープを架設し、ワイヤーロープの架設密度と落石荷重に対する抑止力を増大させ、小径の転石の抜け出し及び転石荷重の主ワイヤーロープへの伝達の目的で１５０〜２００mm網目の金網を架設し、経済施工性の向上を計る。
【発明の効果】
【０００５】
同等の転石荷重抑止力に換算すると使用部材と施工手間の合計は約２０％も削減され架設面からの小径転石の抜け出しも従来の直径５００mmから直径２００mmとより小径の転石へと改善される。
【図面の簡単な説明】
【０００６】
【図１】本案の展開図
【図２】従来工法の展開図
【図３】図１の部分拡大図
【図４】図２の部分拡大図
【図１】
2007332535.tif 000003
【図２】
2007332535.tif 000004
【図３】
2007332535.tif 000005
【図４】
2007332535.tif 000006
(57)【要約】      （修正有）【課題】雑多な街路に於ける路地の存在を車両運転者、及び路地通行者などに視認させ、出会い頭の事故防止を目指すものである。【解決手段】即ち、路地の存在を示す標識、マーク、などを車両運転者が最も視認性の容易な、路面の路地の出入り口に表示をなすとともに、路地から外へ向かう人にも、一旦停止を促す文字を表示することにより、注意を喚起し出会い頭の事故を防ごうとするものである。【選択図】図１
2007332744.tif 000002
【特許請求の範囲】
【請求項１】
１路地の存在を示す標識、マークなどを、路面に表示する方法
【発明の詳細な説明】
【技術分野】
【０００１】本発明は交通事故防止に関する方法である
【背景技術】
【０００２】現在、交通事故で毎年多くの人命が失われている、これは被害者、加害者共に大きな苦しみと、悲しみを受けるものである、
【発明の開示】
【発明が解決しようとする課題】
【０００３】この交通事故の原因の一つに街中の路地からの飛び出しがある、特に夜間などに於いて低層階の多様な家屋が並ぶ街路では、車の運転者にとっては街中の路地の視認は非常に把握困難なのが現状である、そこで路地の存在を表示し、確実に視認をさせ注意を喚起しようとするものである
【課題を解決するための手段】
【０００４】そこで、運転者が最も視認上優位な、路面の、路地の出入り口に、蓄光反射材などを用いて路地の存在を示す、標識、マーク、などで表示を為すものである、尚、路地から外へ向かう人の正面方向に、一旦停止を促す文字を表示する
【発明の効果】
【０００５】この路地入り口の路面に表示された、標識、マーク、などが在ることにより、車両の運転者の路地識別視認性が、街中の看板などと区別され、路地に対する認識、注意を喚起するもので、出会い事故の防止に役立つものである
【発明を実施するための最良の形態】
【０００６】即ち、路地の出入り口の路面に、蓄光反射材などの、例えば第１図、第２図、などの如き、標識、マークで表示する、（このマークは全国統一を為すことが望ましいが）、かくする事により、昼間、又は夜間の照明の無い街路に於いても、車両運転者が路地の出入り口の存在を容易に視認する事ができるものであり、尚、路地からの飛び出す者にも注意を促し、出会い事故の防止に役立つものである
【図面の簡単な説明】
【０００７】
【図１】・・・路地の存在を示す表示マーク例
【図２】・・・路地の存在を示す表示マーク例
【符号の説明】
【０００８】１・・・一旦停止の表示マークの例
２・・・一旦停止の表示マークの例
【図１】
2007332744.tif 000003
【図２】
2007332744.tif 000004
(57)【要約】【課題】従来、手で操作していたものを、足で操作することにより作業者の体力負担を軽減し、安全で正確な作業にする。【解決手段】金枠（１）の中心に、足で上下に操作するハンマー（２）を設け、金枠（１）下部に取り付けた破砕工具（３）に、打撃を与える用具【選択図】図２
2007332748.tif 000002
【特許請求の範囲】
【請求項１】
本体金枠（１）の中心に足で操作するハンマー（２）を設け、本体金枠（１）下部に取り付けた破砕工具（３）に打撃を与える用具。
【発明の詳細な説明】
【発明の詳細な説明】
【技術分野】
【０００１】本発明は、ハンマーを足で操作する事により破砕工具に打撃を与える技術に関する。
【背景技術】
【０００２】従来、破砕対象物に打撃を与える用具は、たがねをハンマーで打撃したり、ツルハシ等を手で扱う作業であり、作業者の体力負担が大きく、手に加わる反動や誤打により負傷の危険性があった。
【発明の開示】
【発明が解決しようとする課題】
【０００３】従来、手で操作していた用具を足で操作する事により、作業者の体力負担を軽減し安全で正確な作業にする。
【課題を解決するための手段】
【０００４】金枠本体（１）の中心に足で上下に操作するハンマー（２）を設け、金枠下部に取り付けた破砕工具（３）に打撃を与える用具
【発明の効果】
【０００５】簡単な操作で安全に、体力負担も少なく楽な体勢で、破砕工具及び破砕対象物へ正確に打撃を与える事ができる。
【実施例】以下に本発明の実施例について説明する。【０００６】使用方法は、図１上部に取り付けたハンドル（４）を手で握り、破砕工具（３）を破砕対象物へ押し当て、ハンマー（２）上部の足掛け穴（５）に足先を通し、ハンマー（２）を上下させる事により、破砕工具（３）に打撃を与え対象物を破砕する。【０００７】ハンマー（２）は、本体金枠（１）の横にあるハンマーガイド（６）で上下運動する簡単な構造であり、破砕工具（３）も固定されているので誤打もない。【０００８】ハンマー（２）の重量や、破砕工具（３）の形状で効果を変えることもできる。
【図面の簡単な説明】
【０００９】
【図１】本発明の斜視図
【図２】本発明の正面図
【符号の説明】
（１）本体金枠、（２）ハンマー、（３）破砕工具、（４）ハンドル、（５）足掛け穴、（６）ハンマーガイド
【図１】
2007332748.tif 000003
【図２】
2007332748.tif 000004
(57)【要約】【課題】本発明は、シャワートイレのシャワー部から噴出される水で便座を洗う装置であって、便座部分を、軸を中心に回転させ、汚れている便座表面をシャワートイレのシャワーから噴出される水で洗浄できるようにする装置である。蓋は、洗浄する便座部分が収納可能な形状を有し、かつシャワー部から噴出される水が飛び散らないような形状とする。【手段】便座部分を洗浄する便座部分と洗浄しない便座部分にわけ、洗浄する便座部分は回転可能なように軸を設ける。洗浄する便座部分が収納可能形状を有し、シャワー部から噴出される水が飛び散らないような蓋を設ける。シャワー部は、便座部分を満遍なく洗える範囲に移動可能であり、かつ便座部分を満遍なく洗える形状のノズルを有する。【選択図】図１
2007332749.tif 000002
【特許請求の範囲】
【請求項１】
シャワートイレのシャワー部から噴出される水で便座表面を洗浄することのできる装置
【請求項２】
軸を有し、軸を中心に回転移動させることにより、汚れている便座表面をシャワートイレのシャワー付近に回転移動させた後、シャワーから噴出される水で便座表面を洗浄できる装置
【発明の詳細な説明】
【技術分野】
【０００１】  本発明は、シャワートイレのシャワー部から噴出される水で便座を洗う装置であって、便座部分を、軸を中心に回転させ、汚れている便座表面をシャワートイレのシャワーから噴出される水で洗浄できるようにする装置である。蓋は、洗浄する便座部分が収納可能な形状を有し、かつシャワー部から噴出される水が飛び散らないような形状とする。
【背景技術】
【０００２】  蓋から洗浄用の水が噴出され、便座を洗浄する方法は知られている。
【発明の開示】
【発明が解決しようとする課題】
【０００３】  蓋から洗浄用の水が噴出される場合、蓋本体に水配管を設置する必要があった。
本発明は、以上の問題点を解決し、シャワートイレのシャワー部により、便座部分を洗浄するものである。
【課題を解決するための手段】
【０００４】  便座部分を洗浄する便座部分と洗浄しない便座部分にわけ、洗浄する便座部分は回転可能なように軸を設ける。洗浄する便座部分が収納可能形状を有し、シャワー部から噴出される水が飛び散らないような蓋を設ける。シャワー部は、便座部分を満遍なく洗える範囲に移動可能であり、かつ便座部分を満遍なく洗えるノズルを有する。
【発明の効果】
【０００５】  シャワートイレのシャワー部から噴出される水で便座部分を洗浄することにより、便座部分を清潔に保つことが可能となる。
【発明を実施するための最良の形態】
【０００６】  以下、本発明の実施の形態を説明する。
（イ）  便座部分は、洗浄する便座部分と洗浄しない便座部分から構成される。
（ロ）  洗浄する便座部分が回転できるように、便座部分の内側に軸を設ける。
（ハ）  軸を回転させるモーターを設置する。
（ニ）  洗浄する便座部分が収納可能な形状を有し、かつシャワーから噴出される水が飛び散らない形状を有する蓋を設置する。
本発明は以上の構成よりなる。
【図面の簡単な説明】
【０００７】
【図１】本発明の上面図、横側面図、前側面図を示したものである。
【図２】洗浄する便座部分を回転移動させた状態の、上面図、前側面図を示したものである。
【図３】便座部分が収納可能な形状を有し、かつシャワーから噴出される水が飛び散らない形状を有する蓋を閉めた状態の、上面図、前側面図を示したものである。
【図４】シャワー部から水が噴出され、便座を洗浄している状態の、上面図、横側面図、前側面図を示したものである。
【符号の説明】
【０００８】  （１）シャワー部（２）洗浄する便座部分（３）洗浄しない便座部分（４）便座部分を回転させる軸（５）洗浄する便座部分を回転させるモーター（６）便座部分を収納する蓋（７）洗浄する便座部分の裏側（８）シャワーから噴出される水
【図１】
2007332749.tif 000003
【図２】
2007332749.tif 000004
【図３】
2007332749.tif 000005
【図４】
2007332749.tif 000006
(57)【要約】【課題】従来のコンクリート面を穿孔しエポキシ系接着材にてアルミ手摺を固定する後付け工法に対して施工コストの低減及び作業労働者の負担の軽減を目的とする。【解決手段】コンクリート打設用型枠にアルミ手摺の支柱補強材を治具を使ってセットしコンクリート打設により固定させる。しかる後にアルミ手摺本体を樹立した支柱補強材に差込み両者をビス止め固定して施工を完了させる。【選択図】図１
2007332747.tif 000002
【特許請求の範囲】
【請求項１】
アルミ手摺の支柱補強用芯材を、コンクリート打設用型枠に治具を使って設置し、コンクリート打設後固着した支柱補強用芯材にアルミ手摺本体を差込み両者をビス止めして固定する取り付け工法。
【発明の詳細な説明】
【技術分野】
【０００１】本発明はコンクリート建築物のバルコニーや廊下、屋上、階段等に設置する墜落防止手摺に関するものである。
【背景技術】
【０００２】  現在マンション等、建設現場におけるアルミ製墜落防止手摺の取り付け工法はコンクリート躯体面をハンマードリル又はダイヤモンドコアドリル等で穿孔し支柱足元部分をエポキシ系接着材で固定する後付け工法が一般的に実施されている。
【発明の開示】
【発明が解決しようとする課題】
【０００３】  手摺の施工に当たっての硬いコンクリート面への穿孔は取り付け職人にとっては重労働であり又コンクリートの切粉による粉塵飛散やエポキシ接着材のこぼれによる補作業も避けられない問題であった。
【課題を解決するための手段】
【０００４】  上記課題を解決するために施工の時期を前倒ししてやりコンクリート型枠建て込み後コンクリート打設直前に現場に乗り込み  図１−ｂにある治具によりコンクリート型枠に支柱補強兼アンカー、図１−ａをセットしていく。図２  及び  図３  参照
【発明の効果】
【０００５】  この工法をとることによりコンクリート躯体面へ取り付け用の穴を穿孔する作業を排除できた。アルミ手摺の取付け職人は治具のセット時もアルミ手摺本体の取付け時もインパクトドライバードリルのみで作業できるようになり作業労力が大幅に軽減できる。またエポキシ系接着剤を使う必要もないので補修の手間とその材料費も節約することができた。
【発明を実施するための最良の形態】
【０００６】  本発明の実施例を図面に従って説明する。図１及び図２において型枠上に手摺図面にもとずいて支柱位置を墨出しし治具ｂをビスで固定しセットする、次にアルミ手摺の支柱補強兼アンカーａを差込みこの状態でコンクリートを打設して固着させる。（図２）、（図３）、（図４）【０００７】  コンクリートが硬化し型枠を解体した後治具ｂを抜き取る。（図５）その後適当な時期にアルミ手摺本体を現場に搬入し樹立している支柱補強材に差込み（図６）、レベルの調整を行い両者をビスで固定し施工を完了する。（図７）
【図面の簡単な説明】
【０００８】
【図１】治具及びアルミ手摺支柱芯材の施工要領図である。
【図２】治具のコンクリート型枠への取付け要領図である。
【図３】アルミ手摺支柱補強材の治具へのセット。
【図４】コンクリートを打設した状態。
【図５】抜け落ち防止のピンを抜き治具を外す。
【図６】樹立している支柱補強材にアルミ手摺本体を差し込む。
【図７】アルミ手摺本体を支柱補強材にビス止め固定する。
【符号の説明】
【０００９】ａ    アルミ手摺の支柱補強材鋼管
ｂ    治具
１    ４２．７φ鋼管
２    抜け落ち防止用ピン
３    コンクリート固定用穴
４    ４８．６φ×２．３鋼管
５    ［−１００×５０×５×７．５溝型鋼
６    Ｍ８ボルト
７    Ｌ−５０×５０×４
８    木ビス
９    コンクリート型枠
１０  コンクリートの打設
【図１】
2007332747.tif 000003
【図２】
2007332747.tif 000004
【図３】
2007332747.tif 000005
【図４】
2007332747.tif 000006
【図５】
2007332747.tif 000007
【図６】
2007332747.tif 000008
【図７】
2007332747.tif 000009
(57)【要約】【課題】本発明は、シャワートイレの噴出し部にカメラを取り付けた装置であって、カメラから映し出された画像を表示するものであり、また画像を見ながらシャワーから噴出された水をどの位置にあてるか調節できる装置である。【手段】シャワーの先端付近にカメラを設置する。カメラによって処理された画像を表示するディスプレイを設ける。映し出された画像をもとに、シャワーを適切な位置に移動させることのできる操作部を設ける。【選択図】図１
2007332750.tif 000002
【特許請求の範囲】
【請求項１】
カメラ付シャワートイレ
【請求項２】
カメラから映し出された画像を見ながら、シャワーから出てくる水をあてる位置を操作できる装置
【発明の詳細な説明】
【技術分野】
【０００１】  本発明は、シャワートイレの噴出し部付近にカメラを取り付けた装置であって、カメラから映し出された画像を表示するものであり、また画像を見ながらシャワーから噴出された水をどの位置にあてるか調節できる装置である。
【背景技術】
【０００２】  従来、水圧による触覚を頼りに、シャワーから噴出される水をどの位置にあてるか調節していた。
【発明の開示】
【発明が解決しようとする課題】
【０００３】  シャワーから噴出された水をどの位置にあてるか調節する場合、直接見ることができないため、水圧による触覚を頼りに、シャワーから噴出される水をあてる位置を調節していた。また、確実に汚れが落ちているか、直接みることはできなかった。
本発明は、以上の問題点を解決し、シャワー部から噴出された水をあてる位置を、視覚により調節するものである。
【課題を解決するための手段】
【０００４】  シャワーの先端付近にカメラを設置する。カメラによって処理された画像を表示するディスプレイを設ける。映し出された画像をもとに、シャワーを適切な位置に移動させることのできる操作部を設ける。
【発明の効果】
【０００５】  本発明を使用することにより、視覚を利用して、シャワーから噴出される水をあてる位置を操作できる。また、確実に汚れが落ちているか確認することができる。
【発明を実施するための最良の形態】
【０００６】  以下、本発明の実施の形態を説明する。
（イ）  小型のカメラをシャワーの先端付近に設置する。
（ロ）  画像を表示するディスプレイをシャワートイレ付近に設置する。
（ハ）  シャワーを動かす操作部をシャワートイレ付近に設置する。
本発明は以上の構成よりなる。
本発明を使用する場合は、シャワーから噴出される水があたっている位置を、ディスプレイ部に映し出される画像で確認しながら、実際に水をあてたい位置を調節する。
【図面の簡単な説明】
【０００７】
【図１】本発明の構成図
【図２】本発明の上面図
【図３】外側面図
【図４】本発明を利用した参考図
【符号の説明】
【０００８】  （１）カメラ部（２）シャワー噴出し部（３）便座（４）ディスプレイ部（５）操作部（６）シャワーから噴出された水（７）信号線（８）洗浄部分
【図１】
2007332750.tif 000003
【図２】
2007332750.tif 000004
【図３】
2007332750.tif 000005
【図４】
2007332750.tif 000006
(57)【要約】      （修正有）【課題】玄関や出入り口のドア自体には工事をせずに、合鍵などによる不法侵入を防ぐ防犯用具の提供。【解決手段】ドアの内側において、既設のレバーハンドル錠のレバーハンドルに、シリンダーの鍵に突き当ててシリンダーの鍵による施解錠を不能にするシリンダーストッパーと、筒とをそれぞれ取り付け、ドア内面に取り付けた上下２個の吸盤とシリンダーストッパーおよび筒との間に、フック付きのゴムバンドを掛け渡してセットする。【選択図】図９
2007332753.tif 000002
【特許請求の範囲】
【請求項１】
防犯の対策用具である。
玄関や出入り口の鍵とそしてそのドアに細工して、外からの合鍵などでドアを開けようとしても絶対に開けられない防犯用具。
【請求項２】
細工とは、玄関や出入り口の鍵とそのドアに考案の「アカン」をセットするだけで、ドアには一切工事はしない、なおその「アカン」の取り付けは簡単で取り外しも容易である。
【請求項３】
「アカン」の部品、シリンダーストッパーを、レバーハンドルに取り付けて対のシリンダーの鍵に突き当てシリンダーの鍵をストップ即ち鍵がかからないよう不能にする。
シリンダーストッパー図１は手作り品で、ボール紙の輪に消しゴム状のやわらかタイプのゴムを重ね、セロテープで形を整えてその中間に紐をかけておく。この紐に図８のフック付ゴムバンドを通す。
【請求項４】
以上はレバーハンドル型のドア鍵を対象にして、記載してきたが考案のシリンダーストッパーは手作りにつき多少の調整ができるので、応用により既設のおおかたの錠前に使用し、ドアの鍵を補強を広める。
【発明の詳細な説明】
【０００１】  合鍵などでも絶対に開けられない合鍵もあかん「アカン」と呼称、「アカン」は愛称であるがこれを発明の名称とした。
【技術分野】
【０００２】  「アカン」は玄関ドアや出入り口のドアの内側に取り付ける防犯用具である、即ちドアに考案の「アカン」を細工して取り付け、合鍵などでも絶対に開けられなくする防犯の技術。【０００３】  「アカン」はドアの既設の鍵に取り付けるだけで、ドア自体には工事をしない釘なども一切使わない防犯対策の技術。
【背景技術】
【０００４】  一般に家屋のドアからの侵入を防ぐ防犯対策として見受けられるのは、ドアに補助的に頑強な鍵を追加施工している、しかしそれでも巧に工作した合鍵によりやはり侵入されているようである。
【発明の開示】
【発明が解決しようとする課題】
【０００５】  不法侵入が多いといわれている昨今の状況は、巧妙な合鍵によるものや、また特殊な開錠用具の使用により犯されている。
この不法侵入を防ぐ方法、即ちこの課題を解決すしようとするものである。
【課題を解決するための手段】
【０００６】  ドアに追加の鍵を取り付けるだけでは記述した通り課題を解決することができない。
解決の為にいろいろな防犯具が市販されいている、考案の「アカン」も解決の手段としているものであるが万能型ではない、しかしこの「アカン」の応用がおおかたのドアの鍵に適用ができるので課題を解決するのに最もな手段である。【０００７】  「アカン」はレバーハンドル錠を使用しているドアが多いのでので、この型を見合いにして考案した。【０００８】  「アカン」は図９参照のとおり考案のシリンダーストッパー（図１）と筒（図２）をレバーハンドル錠に取り付けて上下２個の吸盤（図６）とフック付きのゴムバンド（図８）とでセットする。
【発明の効果】
【０００９】  「アカン」はドアからの侵入を防ぐ防犯具である。
在宅中は特に怖い、ピッキングが怖い、との怖い情報に、防犯の強化方法としては考案の「アカン」の設置の効果は絶対的である。
「アカン」は玄関ドアなどのドアの内側にセットするだけで、セットの仕方は簡単で取り外しも容易であり、なんの造作も無い、そしてドア自体には一切工事などしないので面倒がない。
【発明の実施するための最良の形態】
【００１０】  ドアからの不法侵入者を防ぐ防犯具として考案したこの「アカン」を最良に利用するためには、
１、そのドアは「アカン」の一部である吸盤が吸着するかどうかをよく調べる
２、ドアに使っている既設のレバーハンドル錠は「アカン」をセットすることができるかかどうかを十分に調べる
３、考案のシリンダーストッパーを取り付ける場合のレバーハンドル錠とシリンダー錠との関係のサイズを確り測る
【００１１】  そのドアに使用している錠前がレバーハンドル錠以外の錠前の場合でも、この「アカン」の応用ができる錠前が多いので、その点を考慮し、可能かどうかを調べる
【図面の簡単な説明】
【００１２】
【図１】  シリンダーストッパーの正面図
【図２】  同  横面図
【図３】  筒
【図４】  レバーハンドル錠
【図５】  ドアの鍵即ちレバーハンドル錠とシリンダー錠を一対にしたもの
【図６】  吸盤
【図７】  レバーハンドル錠にシリンダーストッパーと筒をセットした図
【図８】  フック付ゴムバンド
【図９】  図５のドアの鍵に図１のシリンダーストッパーと図３の筒をセットして図６の吸盤に図８のフック付ゴムバンドで引っ張った図、即ち「アカン」をドアにセットした図である
【符号の説明】
【００１３】  符号は使わず
【図１】
2007332753.tif 000003
【図２】
2007332753.tif 000004
【図３】
2007332753.tif 000005
【図４】
2007332753.tif 000006
【図５】
2007332753.tif 000007
【図６】
2007332753.tif 000008
【図７】
2007332753.tif 000009
【図８】
2007332753.tif 000010
【図９】
2007332753.tif 000011
(57)【要約】      （修正有）【課題】かすがい工法や五重の塔の免震震動吸収工法を応用し、地震による形状変形エナジーを吸収発散して被害を最小に留め、建築物の免震性能を飛躍的に強化する建築法を提供する。【解決手段】鉄骨と鉄骨を形状記憶合金強力スプリングで連結する。【選択図】図１
2007332757.tif 000002
【特許請求の範囲】
【請求項１】
形状記憶合金を利用した強力スプリングで鉄骨同士を連結する事を通して建築物の免震性能を飛躍的に強化する建築法に関して特許を請求します。
【請求項２】
鉄骨同士を連結する事を通して建築物の免震性能を飛躍的に強化する「形状記憶合金を利用した強力スプリング」に関して特許を請求します。
【発明の詳細な説明】
【技術分野】      免震建築工法分野
形状記憶合金強力スプリング
【背景技術】      免震建築技術
形状記憶合金強カスプリング製法
【発明の開示】
▲１▼鉄骨と鉄骨を形状記憶合金強力スプリングで連結する事を通して建築物の免震性を飛躍的に向上させる発明。
▲２▼鉄骨と鉄骨を連結する事を通して建築物の免震性を飛躍的に向上させる形状記憶合金強力スプリングに対する発明。
【課第を解決する為の手段】
▲１▼鉄骨と鉄骨を形状記憶合金強力スプリングで連結する事を通して建築物の免震性を飛躍的に向上させる最も効果的な物理学的連結方法を解明する。
▲２▼鉄骨と鉄骨を連結する事を通して建築物の免震性を飛躍的に向上させる形状記憶合金強力スプリングを作成する。
【発明の効果】
▲１▼建築物の免震性を飛躍的に向上させる事が可能に成る。
▲２▼地震の被害を最小にとどめる事が可能に成る。
【発明を実施する為の最良の形態】
「かすがい工法」や「五重の塔で証明されている免震建築物」の秘密を解明し更に「二重かすがい工法」や「五重の塔工法応用スプリング工法」等で最良の形態を見つけ出す。
【実施例】「かすがい工法」や「五重の塔で証明されている免震建築物」を「二重かすがい工法」や「五重の塔工法応用スプリング工法」で強化して実験の結果に基づいて実施します。
【産業上の利用可能性】▲１▼全ての建築物に応用する事によって建築物の免震性を飛躍的に向上させる事が可能に成り地震大国日本の運命を変える事が可能な為産業上の利用可能性は無限とも言える。
▲２▼地震の被害を最小にとどめる事が可能に成る為地震大国日本の運命を変える事が可能な為産業上の利用可能性は無限とも言える。
▲３▼建築資材産業及び建築産業に飛躍的需要を生み出す。
【図面の簡単な説明】▲１▼鉄骨同士を形状記憶合金強力スプリングで連結する。
▲２▼形状記憶合金を利用して免震性能強化スプリングを作成する
【図１】
2007332757.tif 000003
【手続補正書】
【提出日】平成18年8月18日(2006.8.18)
【手続補正１】
【補正対象書類名】明細書
【補正対象項目名】全文
【補正方法】変更
【補正の内容】
【発明の詳細な説明】
【技術分野】
【０００１】免震建築工法分野形状記憶合金強力スプリング
【背景技術】
【０００２】免震建築技術形状記憶合金強力スプリング製法
【発明の開示】
【０００３】▲１▼鉄骨と鉄骨を形状記憶合金強力スプリングで連結する事を通して建築物の免震性を飛躍的に向上させる工法に対する発明。▲２▼鉄骨と鉄骨を形状記憶合金強力スプリングで連結する事を通して建築物の免震性を飛躍的に向上させる形状記憶合金強力スプリングに対する発明。
【課題を解決する為の手段】
【０００４】▲１▼鉄骨と鉄骨を形状記憶合金強力スプリングで連結する事を通して建築物の免震性を飛躍的に向上させる最も効果的な物理学的連結方法を解明確立する。▲２▼鉄骨と鉄骨を形状記憶合金強力スプリングで連結する事を通して建築物の免震性を飛躍的に向上させる形状記憶合金強力スプリングを作成する。
【発明の効果】
【０００５】▲１▼建築物の免震性を飛躍的に向上させる事が可能に成る。▲２▼建築物の免震性を飛躍的に向上させて地震の被害を最小にとどめる事が可能に成る。
【発明を実施する為の最良の形態】
【０００６】「かすがい工法」や「五重の塔で証明されている免震建築物」の秘密を解明し更に「二重かすがい工法」や「五重の塔工法応用スプリング工法」等で最良の形態を見つけ出す。
【実施例】
【０００７】「かすがい工法」や「五重の塔で証明されている免震建築物」を「二重かすがい工法」や「五重の塔工法応用スプリング工法」で強化して実験の結果に基づいて実施します。
【産業上の利用可能性】
【０００８】▲１▼全ての建築物に応用する事によって建築物の免震性を飛躍的に向上させる事が可能に成り地震大国日本の運命を変える事が可能な為産業上の利用可能性は無限とも言える。▲２▼地震の被害を最小にとどめる事が可能に成る為地震大国日本の運命を変える事が可能な為産業上の利用可能性は無限とも言える。▲３▼建築資材産業及び建築産業に飛躍的需要を生み出す。
【図面の簡単な説明】
【０００９】
【図１】本発明の使用法を示す側面図